(57)【要約】【課題】従来の番組抽出方法は、ユーザが自分の視聴したい番組の検索条件を予め入力する必要があり煩雑であった。また、番組の抽出が番組単位で行われるため、番組の一部のシーンのみに興味がある場合も番組の全編を視聴する必要があり時間的な束縛が大きかった。【解決手段】複数の番組の情報を格納する番組情報格納手段と、ユーザの行動からユーザの嗜好情報を抽出して格納する嗜好管理手段と、前記番組情報格納手段に格納された番組から現在放送されかつ前記嗜好管理手段の格納する嗜好情報に適合した番組を選択する候補番組選択手段と、前記候補番組選択手段が選択した番組に含まれる字幕情報が前記嗜好情報と適合することを検出して通知要求を出力する字幕推薦手段と、前記通知要求をユーザに提示する推薦通知手段とを具備する。【選択図】図１
2008193295.tif 000002
【特許請求の範囲】
【請求項１】
番組情報を格納する番組情報格納手段と、ユーザの行動からユーザの嗜好情報を抽出して格納する嗜好管理手段と、前記番組情報格納手段に格納された番組から現在または間もなく放送されかつ前記嗜好管理手段の格納する嗜好情報に適合した番組を候補番組として選択する候補番組選択手段と、前記候補番組に含まれる字幕情報が前記嗜好情報と適合するかを監視して検出した際に通知要求を出力する字幕推薦手段と、前記通知要求を推薦通知としてユーザに提示する推薦通知手段とを具備することを特徴とする番組抽出装置。
【請求項２】
前記候補番組選択手段が選択した番組をタイムシフト録画する録画再生手段を具備し、前記推薦通知手段がユーザによる前記通知した番組を視聴か否かの意思表示を受け付けて視聴する意思表示の場合には前記タイムシフト録画した番組の再生を始める要求を出力することを特徴とする請求項１記載の番組抽出装置。
【請求項３】
前記候補番組選択手段が選択した番組の開始時点からタイムシフト録画を開始することを特徴とする請求項２記載の番組抽出装置。
【請求項４】
前記録画再生手段が前記通知要求を受け取った時間的近傍からタイムシフト再生を行い、ユーザから要求があった場合には番組の先頭からタイムシフト再生を行うことを特徴とする請求項３記載の番組抽出装置。
【請求項５】
前記録画再生手段が、前記タイムシフト録画した番組の再生の再生速度が等倍速より速く前記タイムシフトの再生位置が録画位置に追いついた際には等倍速の再生に遷移することを特徴とする請求項２乃至請求項４記載の番組抽出装置。
【請求項６】
前記推薦通知手段が通知要求を受け取った時間的近傍の映像音声を永続保存する録画再生手段を具備することを特徴とする請求項１乃至請求項５記載番組抽出装置。
【請求項７】
番組を視聴するか否かの前記意思表示を受け付けた際に視聴しない意思表示がされなかった場合には前記録画再生手段が前記時間的近傍の映像音声を永続保存することを特徴とする請求項６記載の番組抽出装置。
【請求項８】
番組を視聴する装置において、番組情報を格納するステップと、ユーザの行動からユーザの嗜好情報を抽出するステップと、格納された番組情報から現在または間もなく放送されかつ前記嗜好情報に適合した番組を候補番組として選択するステップと、前記候補番組に含まれる字幕情報が前記嗜好情報と適合するかを監視するステップと、適合した際に通知要求を出力するステップと、前記通知要求を推薦通知としてユーザに提示するステップとを具備することを特徴とする番組抽出方法。
【請求項９】
通知要求する番組をタイムシフト録画するステップと、推薦通知のユーザへの提示の際にユーザから推薦通知に対応する番組を視聴するか否かの意思表示を受け付けるステップと、ユーザが視聴するとの意思表示を受け付けた際にはタイムシフト録画した前記番組のタイムシフト再生を開始するステップとを追加したことを特徴とする請求項８記載の番組抽出方法。
【請求項１０】
タイムシフト録画するステップにおいて前記候補番組の先頭から録画を開始することを特徴とする請求項９記載の番組抽出方法。
【請求項１１】
前記タイムシフト再生を前記通知要求を出力した時間的近傍を再生位置として開始し、ユーザから要求があった場合には番組の先頭からタイムシフト再生を行うステップとを追加したことを特徴とする請求項１０記載の番組抽出方法。
【請求項１２】
前記タイムシフト再生のステップにおいて再生速度が等倍より速い速度で開始し、前記タイムシフトの再生位置が録画位置に追いついたタイミングで等倍速の再生に遷移するステップを追加したことを特徴とする請求項９乃至請求項１１記載の番組抽出方法。
【請求項１３】
前記通知要求が出力された時間的近傍の映像音声を永続保存するステップを追加したことを特徴とする請求項８乃至請求項１２記載番組抽出方法。
【請求項１４】
ユーザの意思表示を受け付けるステップでユーザが前記通知要求に対応する番組を視聴しない意思表示をしなかった場合には前記時間的近傍の映像音声を永続保存するステップを追加したことを特徴とする請求項１３記載の番組抽出方法。
【発明の詳細な説明】
【技術分野】
【０００１】
本発明は、番組に付与された字幕のデータを用いることで、複数の番組から、ユーザの嗜好にあった番組または番組の一部分を抽出する方法に関するものである。
【背景技術】
【０００２】
特許文献１では、サーバ型放送の複数チャンネルを同時受信可能な受信器で、予め入力されたキーワードに付加情報が一致したシーンが裏番組にあると通知する方法を開示している。サーバ型放送では、番組のシーンに対し、ユーザがシーンを選択するのに直接用いる情報を付与して放送している。
【０００３】
また、特許文献２では、ＦＭ文字多重放送で、予め登録した文字列を受信すると通知する方法を開示している。ここでは、文字列はユーザが、キーボードなどから直接文字列を入力する。すなわち、ユーザは予め、受信したい情報を指定する文字列をユーザ自身が考え、所定の入力操作を行う。
【０００４】
ここで、典型的な番組抽出装置の例について図を用いて説明する。
【０００５】
なお以下では、複数の図の間で同一の構成要素には同一の符号を付与することで、説明を一部または全て省略する。また、同じ構成要素が同一の図に複数現れる場合には、符号の末尾にアルファベット１文字を付与するものとする。
【０００６】
図６は、本発明を使用しない従来の番組抽出装置の構成図である。
【０００７】
図中、符号６００は従来の番組抽出装置の全体である。番組抽出装置６００は、受信アンテナ１０１と、入力手段１０２と、第１の番組受信手段１０３と、第２の番組受信手段１０３ａと、番組情報格納手段１０４と、録画再生手段６０１と、映像合成手段６０２と、映像提示手段１１２とから構成されている。
【０００８】
受信アンテナ１０１は、放送電波を受信して放送信号を電気信号に変換してアンテナ信号として出力する。受信アンテナ１０１は、ＴＶ放送のアンテナで良い。
【０００９】
入力手段１０２は、ユーザによる物理的な入力操作を受け付ける入力デバイスである。入力手段１０２は、ＡＶ機器のリモコンと受光部や、キーボード、マウスなどのポインティングデバイス等でよい。
【００１０】
第１の番組受信手段１０３は、受信アンテナ１０１で受信したアンテナ信号を入力し、現在選局している放送チャンネルに関するビットストリームを選択的に出力する。ビットストリームには、放送番組の映像、音声に加え、現在放送中または今後放送される番組に関する放送日時や番組名などからなるＥＰＧ（Ｅｌｅｃｔｒｉｃ  Ｐｒｏｇｒａｍ  Ｇｕｉｄｅ）データが含まれる。第１の番組受信手段１０３は、デジタル放送受信器のおける、復調器とＴＳ（Ｔｒａｎｓｐｏｒｔ  Ｓｔｒｅａｍ）デコーダでよい。
【００１１】
第２の番組受信手段１０３ａは、前述したように第１の番組受信手段１０３と同じものでよい。
【００１２】
番組情報格納手段１０４は、第１の番組受信手段の出力するビットストリーム中のＥＰＧデータを蓄積して格納する。また、必要に応じて格納した情報を出力する。番組情報格納手段１０４は、半導体メモリや磁気記憶媒体で良い。番組情報格納手段１０４は、検索機能を有し、ユーザが入力手段１０２より入力した検索条件に適合した番組を検索し、その番組が放送中であれば、ユーザに放送中であることを通知するＯＳＤ（Ｏｎ  Ｓｃｒｅｅｎ  Ｄｉｓｐｌａｙ）画面を表示する要求を映像合成手段６０２に出力する。
【００１３】
録画再生手段６０１は、入力手段１０２からの要求に応じて、番組受信手段１０３ａの出力する番組の映像音声などの情報を蓄積（録画）する。録画再生手段６０１は、磁気記憶媒体や大容量の半導体メモリでよい。
【００１４】
映像合成手段６０２は、番組受信手段１０３の出力する映像音声と、録画再生手段６０１が出力する映像音声と、番組情報格納手段１０４の出力するＥＰＧデータとを入力し、これらの入力を選択かつ／または合成して１枚の映像音声信号を合成する。例えば、番組受信手段１０３の映像音声か、録画再生手段６０１が出力する映像音声かを選択的に出力したり、番組情報格納手段１０４の出力するＥＰＧデータをデコードしてＥＰＧ画面のＯＳＤ（Ｏｎ  Ｓｃｒｅｅｎ  Ｄｉｓｐｌａｙ）のグラフィックス・ビットマップを描画したりする。また、番組情報格納手段１０４から、ユーザが入力した検索条件に適合した番組が放送中であることを通知する要求を受け取ると、ユーザに番組が放送中であることを知らせるポップアップ画面のＯＳＤを描画する。
【００１５】
映像提示手段１１２は、映像合成手段６０２の出力する映像音声信号を入力し、ユーザが知覚可能な物理的現象（光や音）に変換して出力する。映像提示手段１１２は、液晶ディスプレイパネルと、スピーカーなどで良い。
【特許文献１】特開２００５−２５０７３８号公報
【特許文献２】特開２００２−５７５９１号公報
【発明の開示】
【発明が解決しようとする課題】
【００１６】
本発明を使用しない従来の番組抽出方法および装置においては、ユーザが自分が視聴したい番組の検索条件を、ユーザ自身が予め入力する必要があった。この検索条件の入力作業は煩雑であり、デジタルデバイドのユーザにとっては不可能ですらある。また、どの様な検索条件を用いると、検索漏れが無く、かつ余分な番組が含まれない様になるのかは、実際に入力を行い、検索された結果を見ながら検索条件を微調整するしかなかった。更には、ユーザの好みが変化したり、ＥＰＧデータの編集方針が変更されたり、世の中の流行が変化したりすると、その都度、検索条件の修正や再入力が必要となり、極めて煩雑である。
【００１７】
また、検索された結果は番組単位になるため、その番組中のほんの一部分の時間でのみ興味のある内容が放送された場合でも、興味のある部分が放送されるまで、ユーザ自身が番組を視聴しながら待ち受ける必要があった。
【課題を解決するための手段】
【００１８】
上記課題を解決するために、本発明による番組情報抽出方法および装置は、複数の番組の情報を格納する番組情報格納手段と、ユーザの行動からユーザの嗜好情報を抽出して格納する嗜好管理手段と、前記番組情報格納手段に格納された番組から現在放送されかつ前記嗜好管理手段の格納する嗜好情報に適合した番組を選択する候補番組選択手段と、前記候補番組選択手段が選択した番組に含まれる字幕情報が前記嗜好情報と適合することを検出して通知要求を出力する字幕推薦手段と、前記通知要求をユーザに提示する推薦通知手段とを具備する。
【発明の効果】
【００１９】
本発明による番組抽出方法および装置では、ユーザの嗜好が自動で抽出されるため、ユーザが検索条件を直接入力したり変更する必要がない。また、字幕情報を用いることで、相対的に長い番組の放送時間から、ユーザの興味のあるシーンのみを自動で選択して知らせてくれるため、ユーザが番組中の興味のないシーンを視聴する必要が無く、時間が節約できる。そして、同じ時間帯に別の番組を視聴している場合でも、興味のあるシーンのみ割り込んで視聴が可能となるため、別の番組の視聴を妨げる時間を最小にすることができ、放送時間がオーバーラップしている複数の番組の興味のあるシーンをリアルタイムかつ短時間に見逃すことなく視聴できる。更には、興味のある番組やシーンを自動的に録画することで、後で興味のある番組やそのシーンを優先的に視聴することができるため、興味のある番組またはシーンの見逃を防止することができる。
【発明を実施するための最良の形態】
【００２０】
以下、本発明を実施するための最良の形態として、図面を参照しながら説明する。
【００２１】
（実施の形態１）
図１は、本発明の実施の形態１における番組抽出装置の構成図である１００は番組抽出装置の全体である。
【００２２】
番組抽出装置１００は、受信アンテナ１０１と、入力手段１０２と、番組受信手段１０３と、番組情報格納手段１０４と、嗜好情報管理手段１０５と、候補番組選択手段１０６と、字幕復号手段１０７と、字幕推薦手段１０８と、推薦通知手段１０９と、録画再生手段１１０と、映像合成手段１１１と、映像提示手段１１２とから構成される。
【００２３】
ここで、番組抽出装置１００の各構成要素のうち説明していないものについて詳細に説明する。
【００２４】
嗜好情報管理手段１０５は、入力手段１０２からのユーザの操作を受け付け番組情報格納手段１０４のＥＰＧデータを参照して頻繁に視聴している番組が何であり、それらの番組の共通点が何であるかを抽出することでユーザの嗜好情報を自動的に抽出する。嗜好情報管理手段１０５は、こうして抽出した嗜好情報を格納する。
【００２５】
例えば、ユーザが視聴している番組が、特定の番組ジャンルや、出演者、番組名や番組説明に現れる文字列などに偏在性が認められる場合には、その番組ジャンル、出演者、文字列などを嗜好情報として格納する。
【００２６】
候補番組選択手段１０６は、嗜好情報管理手段１０５が保有する嗜好情報と、番組情報格納手段１０４のＥＰＧデータのうち現在放送中または間もなく放送開始の番組のＥＰＧデータとを比較する。そして、適合性の高いＥＰＧデータを持つ番組を候補番組として選択して出力する。
【００２７】
また、この際、嗜好情報とどの様に適合したかを推薦理由として併行出力する。例えば、ジャンルが「サッカー」である番組を良く視聴している場合には、推薦理由として「サッカー」が出力される。
【００２８】
字幕復号手段１０７は、字幕データを復号し出力する。字幕データは、番組の映像や音声と多重化されて放送される。
【００２９】
なお、字幕データは多重化されるなどして同じ伝送路で伝送される必要はない。例えば、映像音声は放送で字幕は通信で伝送されたり、映像音声がパッケージメディアで提供され字幕が通信で伝送されたり、映像音声と字幕とが別の放送局で放送されても良い。また、字幕データはリアルタイムに伝送される必要がない。例えば、番組の開始時刻からの相対時刻を字幕データに含めることで、予め受信器に保存しておいた字幕データを、あたかもリアルタイムに放送されている様に再生処理しても良い。
【００３０】
字幕推薦手段１０８は、字幕復号手段１０７の出力する字幕データと、嗜好情報管理手段１０５が保有する嗜好情報とを比較し、適合性が高いと判断した番組をそのタイミングで推薦する要求を出力する。例えば、字幕中にユーザが興味や関心のあると判定される文言や人名などが多く含まれる際には適合性が高いと判断する。
【００３１】
また、この際、嗜好情報と字幕とがどの様に適合したかを推薦理由として併行して出力する。例えば、嗜好情報に特定のスポーツ選手名が含まれる場合に、字幕中にスポーツ選手名が現れた場合には、そのスポーツ選手名が推薦理由として出力される。
【００３２】
推薦通知手段１０９は、字幕推薦手段１０８からの要求を受け付け、映像合成手段に興味のあるシーンが現在放送中であることを通知するＯＳＤを出力する。
【００３３】
録画再生手段１１０は、第２の番組受信手段１０３ａの出力する番組の映像音声を録画し、また再生を行う。録画再生手段１１０は同一の番組に対し、番組を録画しながら、録画済みの部分に対して再生を同時に実行することができる。
【００３４】
例えば、番組を先頭から録画開始し、その番組の終了を待つことなく番組の先頭から再生開始することができる。この様な視聴形態は一般にタイムシフト視聴と呼ばれている。また、ここでは、タイムシフト視聴の録画をタイムシフト録画、同じく再生をタイムシフト再生と呼ぶことにする。
【００３５】
録画再生手段１１０は、ハードディスクなどの磁気ディスク装置や、光磁気メディアとドライブ装置、あるいは大容量半導体メモリでよい。
【００３６】
映像合成手段１１１は、第１の番組受信手段１０３と、録画再生手段１１０との出力する番組の映像音声と、推薦通知手段の出力するＯＳＤ画面とを入力する。そして、入力した画像を合成して出力する。
【００３７】
ここで、図３を用いて、通知の際に表示されるＯＳＤについて説明する。
【００３８】
３１０は、映像合成手段１１１が出力する画面全体である。ここで、３１１は現在番組受信手段１０３で受信されユーザが視聴している番組の映像である。また、３１２は現在選局中の放送チャンネルを表す。
【００３９】
３１３は通知をユーザに提示する通知画面である。通知画面３１３は、１行目に推薦理由、２行目に推薦した番組を特定する情報、３行目に操作方法のガイド表示を有している。
【００４０】
１行目に表示される推薦理由は、候補番組選択手段１０６と、字幕推薦手段１０８とから出力される推薦理由の一方もしくは両方である。
【００４１】
次に、番組抽出装置１００の動作についてフローチャートを用いて説明する。図２は、本発明の実施の形態１における番組抽出装置１００で、シーン通知処理のフローチャートである。
【００４２】
（ステップＳ２０１）候補番組選択手段１０６が、番組情報格納手段１０４に格納した番組情報から検索を行う。検索では、現在放送中または間もなく放送が開始される番組の中から、嗜好情報管理手段１０５が格納しているユーザの嗜好情報と適合する番組を候補番組として選択する。
【００４３】
（ステップＳ２０２）ステップＳ２０１で選択された候補番組を第２の番組受信手段で選局する。第２の番組受信手段は、ユーザ操作により明示的な選局や視聴が可能な第１の番組受信手段に対し、明示的に操作ができない。この意味で、第１、第２の番組受信手段を順に「表チューナー」、「裏チューナー」と呼ぶことにする。
【００４４】
（ステップＳ２０３）第２の番組受信手段（裏チューナー）で選局された放送チャンネルに対して字幕復号手段１０７は字幕をデコードする。そして、字幕推薦手段１０８が、嗜好情報管理手段１０５に格納された嗜好情報に適合した字幕文字列の到着を監視する。
【００４５】
（ステップＳ２０４）字幕推薦手段１０８が、嗜好に適合した字幕を検出した場合にはステップＳ２０５へ、それ以外の場合にはステップＳ２０２へ進む。この時点で、映像音声についても、ユーザの嗜好に適合した内容であることが期待される。
【００４６】
（ステップＳ２０５）録画再生手段が、推薦通知手段１０９を通じて嗜好適合した字幕が放送されたことを通知され、その結果、字幕の監視を行っていた候補番組のタイムシフト録画を開始する。
【００４７】
（ステップＳ２０６）推薦通知手段１０９が、推薦番組と推薦理由を提示するＯＳＤ画面の描画データを生成する。そして、映像合成手段１１１を経由し、映像提示手段１１２に表示する。表示される画面の例は図３の通知画面３１３である。
【００４８】
（ステップＳ２０７）ステップＳ２０６で表示された通知画面に対し、ユーザは、入力手段１０２を用いて、その番組を視聴するか否かを意思表示する。
【００４９】
（ステップＳ２０８）ユーザが「決定」ボタンを押下することで、ユーザが番組を視聴する意思表示をした場合にはステップＳ２０９へ、それ以外の場合にはステップＳ２０２へ進む。
【００５０】
（ステップＳ２０９）録画再生手段１１０がタイムシフト再生を開始して視聴を開始する。
【００５１】
なお、視聴を開始した時点で、タイムシフト録画のソースとして第１の番組受信手段１０３を用いるようにしても良い。これにより、番組受信手段１０３ａは自由に選局を変更可能となり、候補番組選択手段１０６からの指示に従ってまた別の候補番組の監視を行えるようになる。
【００５２】
あるいは、第１の番組受信手段１０３と第２の番組受信手段１０３ａとをシンメトリックな構成にする、すなわち第１の番組受信手段１０３の出力に対して字幕の復号と、字幕による推薦とを行えるように構成して、第１の番組受信手段１０３と第２の番組受信手段１０３ａとを、推薦された番組の視聴と、裏番組の監視とを交互に役割を入れ替えて実行するようにしても良い。
【００５３】
なお、番組の通知は画面表示で行うものとして説明したが、音声による発話やアラーム音や音楽、あるいはバイブレータによる振動などによる通知手段であっても良い。
【００５４】
また、録画再生手段１１０によりタイムシフト視聴がされるとしたが、単に現在放送中の番組をリアルタイムに視聴するように番組受信手段１０３の選局を変更しても良い（この際にはステップＳ２０５でのタイムシフト録画の開始処理は不要である）。
【００５５】
（実施の形態２）
図４は、本発明の実施の形態２における番組抽出装置１００で、シーン通知処理のフローチャートである。
【００５６】
以下では説明していないステップに対してのみ詳細に説明する。
【００５７】
（ステップＳ４０１）ステップＳ２０２で選択された候補番組に対して、タイムシフト録画を開始する。実施の形態１の説明で、図２のステップＳ２０５で嗜好にある字幕が見つかった時点でタイムシフト録画を開始していた。これに対し、実施の形態２では候補番組が決まった時点からタイムシフト録画を開始するため、番組の先頭から録画を開始することが可能である。
【００５８】
（ステップＳ４０２）早送り再生の視聴を開始する。例えば１．３倍速で映像を再生すると共に、音声の音程を等速再生時と同じに変換することで、やや早口ではあるものの全ての発話をユーザが知覚できる再生を行う。この際の画面表示の例を、図３の３２０に示す。ここで、３２３は録画再生手段１１０が出力するタイムシフト再生の画面である。また、３２２は、番組の放送チャンネルと１．３倍速で再生されていることをユーザに示すインジケータのＯＳＤ表示である。
【００５９】
（ステップＳ４０３）ステップＳ４０２で早送り再生を続けている間に、タイムシフト視聴の再生位置が録画位置に到着した場合はステップＳ４０４へ進み、それ以外の場合はステップＳ４０３自身を再度繰り返すことで待つ。
【００６０】
（ステップＳ４０４）通常速度での再生に切り換える。例えば、番組受信手段１０３で今までタイムシフト再生していた番組の放送チャンネルに選局し、映像合成手段１１１で番組受信手段１０３の映像を出力するように切り換えればよい。
【００６１】
なお、ステップＳ４０２でタイムシフト再生を開始する際に、無条件に番組の先頭から再生開始しても良い。あるいは、デフォルトでは通知から所定の時間（例：１分間）だけさかのぼっての再生であるが、特定のユーザ操作によって番組の先頭からの再生を行っても良い。例えば、図３の通知画面３１３の３行目の操作ガイドに表示してあるように、左矢印ボタンの押下によって番組の先頭から再生を開始する。
【００６２】
以上の様に、早送り再生が行われるため、所定の時間を経過するとタイムシフト視聴が解消されてリアルタイムの視聴に切り替わる。このため、時間がずれることにより別チャンネルの後続番組をリアルタイム視聴できないデメリットを回避できる。また、第２の番組受信手段１０３ａや録画再生手段１１０などが早く解放されるので、別の番組の字幕の監視や、あるいは通常の予約録画などとの競合を回避できる。
【００６３】
（実施の形態３）
図５は、本発明の実施の形態２における番組抽出装置１００で、シーン保存処理のフローチャートである。
【００６４】
（ステップＳ５０１）推薦通知が行われた時刻と時間的に近傍にある番組のシーンを保存期間に設定する。そしてステップＳ５０２へ進む。時間的近傍の一例としては例えば、前後の１分などである。
【００６５】
以前にステップＳ５０１で、保存期間に設定した期間が存在する場合、今回のステップＳ５０１で指定される期間と和集合をとり、それを新たな保存期間とする。
【００６６】
（ステップＳ５０２）候補番組の放送が終了した場合ステップＳ５０３へ、それ以外の場合ステップＳ２０２へ進む。
【００６７】
（ステップＳ５０３）保存期間の部分を永続的に保存する。そしてステップＳ２０２へ進む。録画再生手段１１０にはタイムシフト視聴用に録画されているためタイムシフト視聴が終了すると自動的に削除されてしまう。これを通常の録画同等に、自動的には削除されない様に変更する。この変更は管理情報の変更か、もしくは、タイムシフト視聴用の録画領域（パーティション）から、通常録画用の録画領域への番組の映像音声のコピーで良い。
【００６８】
なお、上記では常に番組の録画を永続的に保存するとしたが、ユーザが通知に対して無応答であった場合や保存の意思表示を行った場合にのみ永続的に保存する様にしても良い。
【００６９】
また、上記では映像音声の録画としたが、保存する対象が音声だけであっても同様に実施可能である。
【００７０】
また、通知の時刻と推薦理由も映像音声と同様に永続的に保存し、再生時において、デフォルトの再生開始位置にしたり、ある部分のみを選択的に視聴するノンリニア視聴を行うためのインデックスデータとして用いても良い。
【００７１】
また、ユーザが番組抽出装置を利用していない状態（例：リモコンで電源オフして映像提示手段に何も表示されていない状態）で、図５のフローチャートの処理を実行することで、ユーザが不在の間の興味のある番組のシーンを自動収集する事も可能である。
【産業上の利用可能性】
【００７２】
本発明にかかる番組抽出方法および装置は、放送だけでなく、ケーブルテレビのビデオ・オン・デマンドインターネット通信での映像配信などでも利用可能である。また、映像だけや、音声だけの場合でも利用可能である。更に、字幕情報と映像音声とが別々の配信経路やパッケージメディアで提供されてもよい。更には字幕推薦手段が受信器側ではなく、送出側システムに含まれた構成であっても良い。
【図面の簡単な説明】
【００７３】
【図１】本発明の実施の形態１における番組抽出装置の構成図
【図２】本発明の実施の形態１における番組抽出装置でのシーン通知処理のフローチャート
【図３】本発明の実施の形態１における番組抽出装置の画面表示の一例を示す図
【図４】本発明の実施の形態２における番組抽出装置でのシーン通知処理のフローチャート
【図５】本発明の実施の形態３における番組抽出装置でのシーン保存処理のフローチャート
【図６】本発明を使用しない従来の番組抽出装置の構成図
【符号の説明】
【００７４】
１００    番組抽出装置
１０１    受信アンテナ
１０２    入力手段
１０３、１０３ａ    番組受信手段
１０４    番組情報格納手段
１０５    嗜好情報管理手段
１０６    候補番組選択手段
１０７    字幕復号手段
１０８    字幕推薦手段
１０９    推薦通知手段
１１０    録画再生手段
１１１    映像合成手段
１１２    映像提示手段
【図１】
2008193295.tif 000003
【図２】
2008193295.tif 000004
【図３】
2008193295.tif 000005
【図４】
2008193295.tif 000006
【図５】
2008193295.tif 000007
【図６】
2008193295.tif 000008